(57)【要約】【課題】照明の適切化を図る。【解決手段】導光部４６を有するレバー７が固定軸受５および可動軸受６からなる回転中心部として揺動運動を行うと、スイッチ作動体１１が直線的に前後方向に移動してスイッチ１４をオン・オフ動作させる一方、光透過性の合成樹脂製の取手１２がレバー７の前部に設けられ、光源５６がレバー７の回転中心部に近接して配置され、光源５６から前方に照射された光Ｒ１が導光部４６を通過して取手１２を照明する。【選択図】図１
2010252986.tif 000002
【特許請求の範囲】
【請求項１】
容器と、容器に対して後部の回転中心部を中心として揺動運動を行うとともに導光部を有するレバーと、レバーの前部に設けられた光透過性の合成樹脂により構成された取手と、容器に前後方向に直線的に移動可能に取り付けられたスイッチ作動体と、容器とスイッチ作動体とにわたって設けられてスイッチ作動体および回転中心部を前方に押すことによってレバーを容器に対し容器の前後方向に延びる中心線上に位置する中立位置に保持するようにスイッチ作動体および回転中心部に弾力を与える中立保持ばねと、容器に固定されたスイッチと、レバーの回転中心部の周りに配置されかつレバーの導光部を通過して取手を照明する光を照射する光源とを備えたことを特徴とする遊技操作レバー装置。
【請求項２】
光源が容器に固定されたことを特徴とする請求項１記載の遊技操作レバー装置。
【発明の詳細な説明】
【技術分野】
【０００１】
本発明は、照明が適切に行える遊技操作レバー装置に関する。
【背景技術】
【０００２】
図６は、特許文献１で開示された遊技操作レバー装置を示す。図６において、遊技操作レバー装置のパイプ状のレバー９１がレバー９１の前後方向中間部に設けられた軸部９２を回転中心として上下方向に揺動するようになっており、レバー９１よりも後方に配置された光源９４から前方に照射された光Ｒ１がレバー９１の貫通孔９３を通過して取手９５を照明するようになっている。しかしながら、光源９４がレバー９１の回転中心としての軸部９２から遠く離れている。そのため、レバー９１が実線で示す中立位置に停止している状態において、遊技者が取手９５を例えば上から下に押すことによって、レバー９１が軸部９２を回転中心として仮想線で示すように揺動した場合、光源９４の光Ｒ１が貫通孔９３に適切に取り込まれなくなるという欠点がある。その欠点を克服するには、光源９４の個数を例えば上下方向に増加し、光源９４の照射領域を拡大する必要があるという欠点がある。
【０００３】
また、図示は省略するが、特許文献２で開示された遊技操作レバー装置は、取手の内部に光源を設置し、電線がパイプ状のレバー後方から当該レバーの内部を経由に光源に到達する構造であるため、電線の配線構造が複雑になるという欠点がある。
【先行技術文献】
【特許文献】
【０００４】
【特許文献１】特願２００７−３０１０９９号公報
【特許文献２】特願２０００−１２６３６４号公報
【発明の概要】
【発明が解決しようとする課題】
【０００５】
発明が解決しようとする問題点は、照明が適切に行えないという点である。
【課題を解決するための手段】
【０００６】
本発明に係る遊技操作レバー装置は、導光部を有するレバーの揺動運動とスイッチ作動体の前後方向の直線運動との組み合わせによってスイッチのオン・オフ動作を行うとともに、光透過性の合成樹脂により構成された取手がレバーの前部に設けられ、光源がレバーの揺動運動の回転中心部に配置され、光源から照射された光がレバーの導光部を通過して取手を照明することを最も主要な特徴とする。
【発明の効果】
【０００７】
本発明に係る遊技操作レバー装置は、光源がレバーの揺動運動の回転中心部に近づけられたことによって、照明が適切に行えるという利点がある。
【図面の簡単な説明】
【０００８】
【図１】Ａ図は実施の形態１に係る遊技操作レバー装置の中立状態を示す縦断面図、Ｂ図は実施の形態１に係る遊技操作レバー装置の動作状態を示す縦断面図。
【図２】実施の形態１に係る遊技操作レバー装置を示す分解図。
【図３】実施の形態２に係る前容器と中容器とからなる１つの構造体を示す斜視図。
【図４】実施の形態３に係るスライダーとばね受体との組合構造を示す分解図。
【図５】実施の形態４に係る電源ユニットを移動可能に構成した構造を示す分解図。
【図６】従来の遊技操作レバー装置。
【発明を実施するための形態】
【０００９】
「実施の形態１」
本明細書における「前」、「後」、「左」、「右」、「上」、「下」の方向は、図２の状態に遊技操作レバー装置１を置いて矢印Ｓで示す前側から見た場合に特定される方向である。
【００１０】
図１を参照し、実施の形態１に係る遊技操作レバー装置１の構造について説明する。図１のＡ図において、遊技操作レバー装置１は、前容器２と中容器３及び後容器４で囲まれる内部空間に固定軸受５と可動軸受６とレバー７とスライダー８と光源ユニット９とばね受体１０及びスイッチ作動体１１を備え、レバー７の前部に取手１２を備え、中容器３及び後容器４で囲まれる内部空間に中立保持ばね１３を備え、後容器４とスイッチホルダー１５とで囲まれる内部空間にスイッチ１４を備える。前容器２と中容器３及び後容器４は遊技操作レバー装置１の装置基盤としての容器を構成する。
【００１１】
遊技操作レバー装置１の構造によれば、レバー７が前容器２を前後方向に貫通し、固定軸受５および可動軸受６からなる軸受がレバー７の後端部を前容器２に回転可能に支持する回転中心部を構成する。レバー７は導光部を有する構造である。例えば、レバー７の内部に設けられた前後方向に貫通する貫通孔４６が光を後方から前方に誘導する導光部を構成する。レバー７の回転中心部の後方周りには光源ユニット９の光源５６が配置される。取手１２が光透過性の合成樹脂により構成される。よって、光源５６から前方に照射された光Ｒ１が貫通孔４６を通過して取手１２を照明する。
【００１２】
また、遊技者がレバー７から操作力を解除し、レバー７が負荷を受けていない場合、中立保持ばね１３がレバー７を中立位置に保持するような弾力をレバー７に与える。このようにレバー７が中立位置に保持された場合、前容器２の前後方向に延びる中心線Ｌ１とレバー７の前後方向に延びる中心線Ｌ２とが互いに重なる。
【００１３】
上記遊技操作レバー装置１は、相手側部材８１に取り付けられた状態で遊技者により操作される。相手側部材８１は、遊技操作レバー装置１が取り付けられる遊技機筐体の前部を構成する部材である。遊技操作レバー装置１が相手側部材８１に取り付けられる構造は、図１のＡに示す構造に限定されるものではないが、例えば、有頭ボルトのような固定具８２が遊技操作レバー装置１の取付部２１を経由して相手側部材８１の取付部８３に装着されることによって、遊技操作レバー装置１が相手側部材８１に取り付けられる。
【００１４】
次に、遊技操作レバー装置１の動作について説明する。図１のＡ図に示すように、遊技操作レバー装置１が相手側部材８１に取り付けられ、遊技機における図外の制御装置から電力がスイッチ１４に供給され、レバー７が中立位置に保持されている場合、スイッチ作動体１１が中立保持ばね１３の弾性で後方から前方に移動してスイッチ１４の光Ｒ２よりも前方に離れ、スイッチ１４がスイッチ作動体１１を検出していないことを示すオフ信号を図外の制御装置に出力する。
【００１５】
つまり、スイッチ作動体１１が中立保持ばね１３の弾性で後方から前に移動してスイッチ１４の光Ｒ２を遮断していなければ、スイッチ１４がスイッチ作動体１１を検出していないオフ動作した状態になる。
【００１６】
その状態において、図１のＢ図に示すように、遊技者が取手１２を上から下にまたは右から左にまたは斜めに押すことによって、レバー７が中立保持ばね１３の弾性に抗して固定軸受５および可動軸受６からなる回転中心部を中心とする放射状の方向に揺動運動を行う。
【００１７】
これに伴い、前容器２の中心線Ｌ１とレバー７の中心線Ｌ２とが回転中心部を交差点として互いに交差し、可動軸受６が傾いてスライダー８を後方に押して、ばね受止体１０およびスイッチ作動体１１が中立保持ばね１３の弾性に抗して前方から後方に直線的に移動し、スイッチ作動体１１がスイッチ１４の光Ｒ２を遮断し、スイッチ１４がスイッチ作動体１１を検出したオン信号を上記制御装置に出力する。
【００１８】
要するに、遊技操作レバー装置１は、レバー７が固定軸受５および可動軸受６からなる回転中心部を中心とする揺動運動を行うと、スイッチ作動体１１が前後方向の直線運動を行う構造になっている。
【００１９】
上記のように前容器２の中心線Ｌ１とレバー７の中心線Ｌ２とが回転中心部を交差点として互いに交差し、レバー７が回転中心部として揺動運動を行うように操作された場合においても、光源ユニット９の光源５６がレバー７の回転中心部に近接して配置されているので、例えば光源５６が１個であっても、光源５６から前方に照射された光Ｒ１が貫通孔４６に適切に取り込まれて取手１２を好適に照明する。
【００２０】
また、スライダー８やばね受体１０が前後方向に移動しても、光源ユニット９が定位置に静止するように設置されているので、レバー７が中立位置に保持されている場合よりも、レバー７が回転中心部として揺動運動を行うように操作された場合の方が、光源５６が貫通孔５６に近づき、光源５６からの光Ｒ１が貫通孔４６に適切に取り込まれる。
【００２１】
図２を参照し、実施の形態１に係る遊技操作レバー装置１の各構成部材について詳述する、前容器２には、収容部１６、レバー用孔１７、嵌合部１８、鍔部１９が設けられる。収容部１６は、前容器２の後面から内部への窪みを構成する。レバー用孔１７は、前後方向への貫通孔として、前容器２の前壁の中心部に形成される。嵌合部１８は、収容部１６を一周する環状の窪みとして、前容器２の後部の内周部に形成される。
【００２２】
鍔部１９は、径方向の外側に突出しかつ収容部１６を一周する環状の突片として、前容器２の後部の外周部に形成される。径方向は、中心線Ｌと直交する方向である。鍔部１９には、取付部２０；２１が前後方向への貫通孔として設けられる。取付部２０は、前容器２と中容器３とを互いに結合する場合に使用される。取付部２１は、遊技操作レバー装置１を取り付ける場合に使用される。
【００２３】
中容器３には、収容部２３、嵌合部２４、逃避部２５、ストッパー２６、取付部２７；２８；２９が設けられる。収容部２３は、前後方向への貫通孔を構成する。嵌合部２４は、収容部２３を一周する環状の突起として、中容器３の前部に形成される。逃避部２５は、中容器３の前方及び径方向に開口する溝として、中容器３の周壁に形成される。ストッパー２６は、中容器３の後部から収容部２３に突出する突起として、中容器３の周壁に形成される。
【００２４】
取付部２７は、中容器３と光源ユニット９とを互いに結合する場合に使用されるものであって、中容器３の径方向への貫通孔として、中容器３の周壁に形成される。取付部２８は、前容器２と中容器３とを互いに結合する場合に使用されるものであって、中容器３の周壁に形成される。取付部２９は、中容器３と後容器４とを互いに結合する場合に使用されるものであって、中容器３の周壁に形成される。取付部２９には、挿入孔３０及び嵌合孔３１が設けられる。
【００２５】
後容器４には、収容部３２；３３、作動体用孔３４、取付部３５；３６が設けられる。収容部３２は、後容器４の前面から内部への窪みを構成する。収容部３３は、スイッチ１４の前部を収容する部分であって、後容器４の後面から内部への窪みを構成する。作動体用孔３４は、前後方向への貫通孔として、後容器４の後壁の中心部に形成される。取付部３５は、中容器３と後容器４とを互いに結合する場合に使用されるものであって、後容器４の周縁部から前方に突出した弾性片の先端部にフック３７を備える。取付部３６は、後容器４とスイッチホルダー１５とを互いに結合する場合に使用されるものであって、挿入孔３８や嵌合部３９を備える。
【００２６】
固定軸受５には、レバー用孔４０及び固定受突部４１が設けられる。レバー用孔４０は、前後方向への貫通孔として、固定軸受５の中央部に形成される。固定受突部４１は、レバー用孔４０を囲む筒状として、固定軸受５から後部に突出する。
【００２７】
可動軸受６には、収容部４３、可動受突部４４が設けられる。収容部４３は、可動軸受６の前面から内部への窪みとして、可動軸受６の前部に形成される。可動受突部４４は、収容部４３を囲む環状の突起として、可動軸受６の前部に形成される。
【００２８】
レバー７は、可動軸受６の中心部から前方に突出する突起として、可動軸受６の中心線Ｌ１の上に設けられる。レバー７は、前後方向に貫通する筒状であって、この内部の貫通孔４６によって光を後方から前方に誘導する導光部を有する。光透過性の合成樹脂でレバー７を構成してレバー７に導光部を持たせるようにしてもよいが、レバー７を筒状に形成することで、レバー７を金属製として、レバー７の軽量化及び耐久性を向上させることができる。
【００２９】
貫通孔４６に光透過性の合成樹脂を充填したり、貫通孔４６の内面に光反射性の被膜を形成したりしてもよい。レバー７には、取付部４７及び工具受部４８が設けられる。取付部４７は、レバー７と取手１２とを互いに結合する場合に使用されるものであって、レバー７の前部に例えば雄螺子部として形成される。工具受部４８は、レバー７の前後方向の中間部の外面に形成される。
【００３０】
スライダー８は、光源ユニット９を収容しかつ前後方向に移動する部材であって、収容部５０、光透過孔５１、逃避部５２、ガイド部５３、取付部５４を備える。収容部５０は、スライダー８の後面から内部への窪みを構成する。光透過孔５１は、前後方向への貫通孔として、スライダー８の前壁の中心部に形成される。逃避部５２は、スライダー８の後方及び径方向に開口する溝として、スライダー８の周壁に形成される。
【００３１】
ガイド部５３は、スライダー８の周面から径方向外側に突出する突片と、横片からスライダー８の中心線Ｌ１と平行する方向に突出する弾性片とを備える。ガイド部５３を省略し、スライダー８の外周面が中容器３の収容部２３の内周面に接触しつつ、スライダー８が前後方向に移動する構成でもよいが、ガイド部５３を設けることで、スライダー８と中容器３との接触面積が減少し、スライダー８が前後方向に適切に移動できる。取付部５４は、スライダー８とばね受体１０とを互いに結合する場合に使用される。
【００３２】
光源ユニット９は、ＬＥＤのような光源５６、回路基板５７、支持部材５８を備える。光源５６は、回路基板５７の前面に実装され、回路基板５７に装着された電線５９から供給される電力で点灯する。回路基板５７が支持部材５８の後面に取り付けられる場合、光源５６の前部が支持部材５８に設けられた貫通孔６０を経由して支持部材５８よりも前方に突出する。支持部材５８には、取付部６１が設けられる。取付部６１は、中容器３と光源ユニット９とを互いに結合する場合に使用される。
【００３３】
ばね受体１０は、収容部５０を塞ぐ板状である。ばね受体１０の周縁部には、取付部６３及びガイド部６４が設けられる。ばね受体１０の中心線Ｌ１の上には、スイッチ作動体１１がばね受体１０の中心部から後方に突出する突起として設けられる。
【００３４】
取手１２は、光透過性の合成樹脂により構成された球体であって、レバー７で導光された光による照明を受容する。取手１２には、取付部６６が設けられる。取付部６６は、レバー７と取手１２とを互いに結合する場合に使用されるものであって、取手１２の外面から中心部に向かう例えば雌螺子部として形成される。取手１２の後部外面を光不透過の被膜で被覆して、取手１２の前部に照明を集中させるようにしてもよい。
【００３５】
中立保持ばね１３は、レバー７を中立位置に保持するような弾力をレバー７に与えるものであって、例えばコイルスプリングにより構成される。レバー７が中立位置に保持された場合、レバー７の前後方向に延びる中心線Ｌ２と前容器２の前後方向に延びる中心線Ｌ１とが互いに重なる。
【００３６】
スイッチ１４は、発光部６８と受光部６９とが凹部７０を隔てて互いに対峙し、電力を電線７１からスイッチ１４に供給した場合、発光部６８から放出された光Ｒ２を受光部６９で受光する、光電スイッチ１４により構成される。
【００３７】
スイッチホルダー１５には、収容部７３、開口７４、取付部７５が設けられる。収容部７３、スイッチホルダー１５の前面から内部への窪みとして、スイッチホルダー１５の前部に形成される。開口７４は、収容部７３の後部を塞ぐスイッチホルダー１５の後壁に前後方向への貫通孔として設けられる。取付部７５は、後容器４とスイッチホルダー１５とを互いに結合する場合に使用されるものであって、スイッチホルダー１５の周縁部から前方に突出した弾性片の先端部にフック７６を備える。
【００３８】
遊技操作レバー装置１の組立方について説明すると、可動軸受６が前容器２の収容部１６に収容され、レバー７の取付部４７が可動軸受６のレバー用孔４０からレバー用孔１７を経由して前容器２よりも前方に突出させられ、可動軸受６が前容器２の収容部１６に収容される。取手１２の雌螺子部なる取付部６６がレバー７の雄螺子部なる取付部４７に装着される場合、スパナのような工具が工具受部４８に装着されてレバー７を動かないように固定すれば、取手１２がレバー７に緩まないように適切に取り付けられる。
【００３９】
光源ユニット９の光源５６や回路基板５７及び支持部材５８の上部並びに電線５９の上部がスライダー８の収容部５０に後方から収容され、支持部材５８のくびれ部及び電線５９の中間部が逃避部５２に後方から挿入された後、有頭ボルトのような固定具７８がばね受体１０の取付部６３を経由してスライダー８の取付部５４に締結され、ばね受体１０が収容部５０を塞いでスライダー８に固定される。これによって、光源５６や回路基板５７及び支持部材５８の上部がスライダー８の収容部５０とばね受体１０とで囲まれた内部空間に前後方向に移動可能に収容される。
【００４０】
その後、上記スライダー８と光源ユニット９とばね受体１０及びスイッチ作動体１１からなる構造体が中容器３に収容される。その場合、スイッチ作動体１１が中容器３の側に向けられて中容器３の前方から中容器３の収容部２３に収容され、スライダー８のガイド部５３が収容部２３の囲む中容器３の内面に前後方向に移動可能に接触する。そして、支持部材５８のくびれ部及び電線５９の中間部が中容器３の逃避部２５に前後方向に移動可能に配置され、スライダー８の後部がスライダー８のストッパー２６に前方から衝突すると、それ以上、スライダー８が後方に移動しないようになる。
【００４１】
上記可動軸受６やレバー及び可動軸受６の収容された前容器２と、上記スライダー８と光源ユニット９とばね受体１０及びスイッチ作動体１１からなる構造体の収容された中容器３とが、互いに組み合わせられる。その場合、前容器２の嵌合部１８と中容器３の嵌合部２４とが互いに嵌め合わされた後、有頭ボルトのような固定具７９が前容器２の取付部２０を経由して中容器３の取付部２８に締結され、前容器２と中容器３とが互いに結合される。また、有頭ボルトのような固定具８０が光源ユニット９の取付部６１を経由して中容器３の取付部２７に締結され、光源ユニット９が中容器３に固定される。
【００４２】
また、中容器３と後容器４とが、互いに組み合わせられる。その場合、中立保持ばね１３が後容器４の収容部３２に収容され、中容器３の取付部２９と後容器４の取付部２５とが互いに嵌め合わされる。具体的には、取付部２５が中容器３の後方から取付部２９の挿入孔３１に挿入され、取付部２５のフック３７が挿入孔３１から嵌合孔３１に取り込まれて嵌合孔３１の後部周りの中容器３に係止され、後容器４が中容器３に固定される。
【００４３】
以上によって、可動軸受６と固定軸受５とスライダー８とレバー７と光源ユニット９とばね受体１０及びスイッチ作動体１１が前容器２と中容器３及び後容器４で囲まれる内部空間に収容される。前容器２と中容器３及び後容器４で囲まれる内部空間は、収容部１６と収容部２３及び収容部３２で構成される。
【００４４】
さらに、スイッチ１４の前部が後容器４の収容部３３に収容され、スイッチホルダー１５が後容器４に組み付けられる。その場合、後容器４の取付部３６とスイッチホルダー１５の取付部７５とが、互いに嵌め合わされる。具体的には、取付部７５が中容器３の後方から取付部３６の挿入孔３８に挿入され、１個又は複数個なる取付部７５のフック７６が挿入孔３８から前方に通過して挿入孔３８の前部周りの中容器３に係止され、上記と別の１個又は複数個なる取付部７５のフック７６が挿入孔３８から嵌合部３９に取り込まれて嵌合部３９の後部周りの中容器３に係止され、スイッチホルダー１５が後容器４に固定されて、スイッチ１４の後部が収容部７３に収容される。
【００４５】
これによって、スイッチ１４が後容器４及びスイッチホルダー１５で囲まれる内部空間に収容される。後容器４とスイッチホルダー１５とで囲まれる内部空間は、収容部３３及び収容部７３で構成される。スイッチホルダー１５が後容器４に組み付けられた場合、後容器４とスイッチホルダー１５とがスイッチ１４を前後方向から挟持し、スイッチホルダー１５の凹部７０がスイッチホルダー１５の開口７４と対向する。
【００４６】
以上によって、遊技操作レバー装置１が図１のＡ図に示す形状に構成される。つまり、図１のＡ図に示すように、可動軸受６がばね受止体１０を後方に押し、ばね受止体１０が中立保持ばね１３を圧縮し、その中立保持ばね１３の反力としての弾力がばね受止体１０からスライダー８及び可動軸受６を経由して固定軸受５に伝達され、固定軸受５が前容器２に受け止められ、レバー７が前容器２に対し上記中立保持ばね１３の弾力によって中立位置に保持され、スイッチ作動体１１の後部がスイッチ１４の光Ｒ２よりも前に離れて配置される。
【００４７】
「実施の形態２」
図３を参照し、実施の形態２に係る前容器２と中容器３とからなる１つの構造体について説明する。例えば、前容器２又は中容器３を構成する成形材料が型に注入されて、前容器２と中容器３とからなる１つの構造体が形成される。この場合、逃避部２５が少なくとも中容器３に相当する部分の前方及び径方向に開口する溝として、中容器３に相当する部分に設けられる。このように前容器２と中容器３とからなる１つの構造体を用いた場合、図２に示す取付部２０；２８と嵌合部１８；２４及び固定具７９を省略できる。
【００４８】
「実施の形態３」
図４を参照し、実施の形態３に係るスライダー８とばね受体１０とを互いに組み合わせる構造について説明する。スライダー８の取付部５４には凹部８４又は凸部が設けられ、ばね受体１０の取付部６３には凸部８５又は凹部が設けられ、取付部５４の凹部８４又は凸部と取付部６３の凸部８５又は凹部とが互いに嵌め合わされて、スライダー８とばね受体１０とを互いに組み合わせる構造であれば、図３に示す固定具２８を省略できる。凸部にフックを設けてもよい。
【００４９】
「実施の形態４」
図５を参照し、実施の形態４に係る光源ユニット９が移動可能に構成された構造について、光源ユニット９がばね受体１０に取り付けられた場合を例として説明する。光源ユニット９の支持部材５８が回路基板５７から分離されてばね受体１０に設けられる。この支持部材５８は、ばね受体１０から前方に突出した弾性片８６と弾性片８６の前部に設けられたフック８７とを備える。そして、光源５６の実装された回路基板５７が支持部材５８を径方向外側に押し広げながらばね受体１０の前部に接触するのに伴い、フック８７が回路基板５７よりも前方に位置し、弾性片８６が径方向内側に復元し、フック８７が回路基板５７の前面に係止され、支持部材５８が回路基板５７をばね受体１０に支持するので、図３に示す固定具８０を省略できる。
【００５０】
この場合、図５に示すように、弾性片８６を収容する凹部８８が回路基板５７に設けられてもよく、回路基板５７の周縁部を収容する基板収容部８９がばね受体１０の前部に設けられてもよく、また、電線５９が回路基板５７の前側に設けられてもよい。図示は省略するが、光源ユニット９がスライダー８に取り付けられて移動可能に構成されてもよい。
【符号の説明】
【００５１】
１は遊技操作レバー装置、２は前容器、３は中容器、４は後容器、５は固定軸受、６は可動軸受、７はレバー、８はスライダー、９は光源ユニット、１０はばね受体、１１はスイッチ作動体、１２は取手、１３は中立保持ばね、１４はスイッチ、１５はスイッチホルダー、１６は収容部、１７はレバー用孔、１８は嵌合部、１９は鍔部、２０は取付部、２１は取付部、２２は欠番、２３は収容部、２４は嵌合部、２５は逃避部、２６はストッパー、２７は取付部、２８は取付部、２９は取付部、３０は挿入孔、３１は嵌合孔、３２は収容部、３３は収容部、３４は作動体用孔、３５は取付部、３６は取付部、３７はフック、３８は挿入孔、３９は嵌合部、４０はレバー用孔、４１は固定受突部、４２は欠番、４３は収容部、４４は可動受突部、４５は欠番、４６は貫通孔、４７は取付部、４８は工具受部、４９は欠番、５０は収容部、５１は光透過孔、５２は逃避部、５３はガイド部、５４は取付部、５５は欠番、５６は光源、５７は回路基板、５８は支持部材、５９は電線、６０は貫通孔、６１は取付部、６２は欠番、６３は取付部、６４はガイド部、６５は欠番、６６は取付部、６７は欠番、６８は発光部、６９は受光部、７０は凹部、７１は電線、７２は欠番、７３は収容部、７４は開口、７５は取付部、７６はフック、７７は欠番、７８は固定具、７９は固定具、８０は固定具、８１は相手側部材、８２は固定具、８３は取付部、８４は凹部、８５は凸部、８６は弾性片、８７はフック、８８は凹部、８９は基板収容部、９０は欠番、９１はレバー、９２は軸部、９３は貫通孔、９４は光源、９５は取手。
【図１】
2010252986.tif 000003
【図２】
2010252986.tif 000004
【図３】
2010252986.tif 000005
【図４】
2010252986.tif 000006
【図５】
2010252986.tif 000007
【図６】
2010252986.tif 000008